(57)【要約】【課題】開口部を広げた際に破損してしまうのを防止することができる包装袋を提供することを課題とする。【解決手段】重なり合うように配置された２枚の本体シートを用いて形成されており、一方の本体シートにおける一方向に延びる一対の側端部と、他方の本体シートにおける前記一方向に延びる一対の側端部とが連結されて形成された前記一方向に延びる一対の側方連結部と、前記一方向における一端側の位置で２枚の本体シートが連結されて形成された一端側連結部であって一対の側方連結部の一端部間に亘って形成される一端側連結部と、前記一方向における一対の側方連結部の他端部間において２枚の本体シートが連結されないことで形成された開口部とを備え、一対の側方連結部と一端側連結部とで囲まれた領域に物品を収容する収容部が形成される包装袋であって、少なくとも一方の側方連結部は、前記一方向に延びる側方連結部本体と、該側方連結部本体から他方の側方連結部側へ突出する突出連結部とを備える。【選択図】図２
2019116310.tif 000002
【特許請求の範囲】
【請求項１】
重なり合うように配置された２枚の本体シートを用いて形成されており、
一方の本体シートにおける一方向に延びる一対の側端部と、他方の本体シートにおける前記一方向に延びる一対の側端部とが連結されて形成された前記一方向に延びる一対の側方連結部と、前記一方向における一端側の位置で２枚の本体シートが連結されて形成された一端側連結部であって一対の側方連結部の一端部間に亘って形成される一端側連結部と、前記一方向における一対の側方連結部の他端部間において２枚の本体シートが連結されないことで形成された開口部とを備え、一対の側方連結部と一端側連結部とで囲まれた領域に物品を収容する収容部が形成される包装袋であって、
少なくとも一方の側方連結部は、前記一方向に延びる側方連結部本体と、該側方連結部本体から他方の側方連結部側へ突出する突出連結部とを備える包装袋。
【請求項２】
前記突出連結部は、前記一方の側方連結部が備える側方連結部本体から他方の側方連結部側へ広がる面状に形成される請求項１に記載の包装袋。
【請求項３】
請求項１又は２に記載の包装袋の製造方法であって、
長尺状の一対のシート原反を繰り出しつつ重ね合わせる重合工程と、該重合工程後の一対のシート原反の長手方向に向かって幅方向に交互の位置で一対のシート原反を連結して前記長手方向に延びる第一連結部を複数形成する長手方向連結工程と、長手方向連結工程後の一対のシート原反の前記長手方向に向かって間隔を空けた複数の位置で前記幅方向に延びる複数の切断予定線上で一対のシート原反を切断する切断工程と、該切断工程と同時に又は切断工程前に各切断予定線を含む位置で一対のシート原反を連結して前記幅方向に延びる第二連結部を複数形成する幅方向連結工程とを備えており、
各第一連結部は、隣り合う二つの切断予定線と交差するように形成される包装袋の製造方法。
【発明の詳細な説明】
【技術分野】
【０００１】
本発明は、シート材を用いて形成された包装袋、および、該包装袋の製造方法に関する。
【背景技術】
【０００２】
物品を包装する包装袋としては、シート材を用いて形成されたものが知られている。例えば、サンドイッチを包装する包装袋としては、重なり合うように配置された２枚の本体シートを用いて形成されたものが知られている。該包装袋は、一方の本体シートにおける一方向に延びる両側部と、他方の本体シートにおける前記一方向に延びる両側部とが連結されて形成された一対の側方連結部と、前記一方向における一対の側方連結部の一端部間に亘って２枚の本体シートが連結されて形成された一端側連結部と、前記一方向における一対の側方連結部の他端部間で２枚の本体シートが連結されないことで形成された開口部とを備えている。そして、一対の側方連結部と一端側連結部と開口部とで囲まれた領域に物品を収容する収容部が形成されている（特許文献１参照）。
【０００３】
このような包装袋に物品を収容する際には、開口部から物品を収容部内に挿入し、開口部から延出した部分で開口部を閉塞して閉塞壁を形成する。そして、製品情報等を印字したラベルや粘着テープを該閉塞壁に貼り付けることで、開口部が閉塞された状態（商品が包装された状態）が保持される。
【先行技術文献】
【特許文献】
【０００４】
【特許文献１】特開２０１６−１０４６４５号公報
【発明の概要】
【発明が解決しようとする課題】
【０００５】
しかしながら、上記のような包装袋では、収容部内に物品を挿入するべく開口部を大きく広げるため、一対の側方連結部の開口部側の端部にテンションが加わることになる。このようなテンションが一対の側方連結部の端部に加わると、該端部において一方の本体シートと他方の本体シートとの連結が解かれ（例えば、ヒートシールによって連結されている場合には、剥離や破断が生じ）、側方連結部の他端側へ向かって分離が進行してしまう（即ち、包装袋が破損されてしまう）虞がある。
【０００６】
そこで、本発明は、開口部を広げた際に破損してしまうのを防止することができる包装袋を提供することを課題とする。また、斯かる包装袋の製造方法を提供することを課題とする。
【課題を解決するための手段】
【０００７】
本発明に係る包装袋は、重なり合うように配置された２枚の本体シートを用いて形成されており、一方の本体シートにおける一方向に延びる一対の側端部と、他方の本体シートにおける前記一方向に延びる一対の側端部とが連結されて形成された前記一方向に延びる一対の側方連結部と、前記一方向における一端側の位置で２枚の本体シートが連結されて形成された一端側連結部であって一対の側方連結部の一端部間に亘って形成される一端側連結部と、前記一方向における一対の側方連結部の他端部間において２枚の本体シートが連結されないことで形成された開口部とを備え、一対の側方連結部と一端側連結部とで囲まれた領域に物品を収容する収容部が形成される包装袋であって、少なくとも一方の側方連結部は、前記一方向に延びる側方連結部本体と、該側方連結部本体から他方の側方連結部側へ突出する突出連結部とを備える。
【０００８】
斯かる構成によれば、少なくとも一方の側方連結部は、前記一方向に延びる側方連結部本体と、該側方連結部本体から他方の側方連結部側へ突出する突出連結部とを備える。ここで、一方の側方連結部の他端部間に形成される開口部を大きく広げた際には、一対の側方連結部の他端部の位置に、一方の本体シートと他方の本体シートとを分離するような力が加わることになる。しかしながら、突出連結部を備えることで、突出連結部を備える位置では、一方の本体シートと他方の本体シートとが分離し難くなる。これにより、突出連結部から各側方連結部の一端側へ向かって、一方の本体シートと他方の本体シートとの分離が進行してしまうのを防止することができるため、側方連結部において包装袋が破損されてしまうのを防止することができる。
【０００９】
前記突出連結部は、前記一方の側方連結部が備える側方連結部本体から他方の側方連結部側へ広がる面状に形成されることが好ましい。
【００１０】
斯かる構成によれば、前記突出連結部は、前記一方の側方連結部が備える側方連結部本体から他方の側方連結部側へ広がる面状に形成される。これにより、突出連結部を備える位置において一方の本体シートと他方の本体シートとの分離がより効果的に防止される。このため、側方連結部において包装袋が破損されてしまうのをより効果的に防止することができる。
【００１１】
本発明に係る包装袋の製造方法は、上記何れかの包装袋の製造方法であって、長尺状の一対のシート原反を繰り出しつつ重ね合わせる重合工程と、該重合工程後の一対のシート原反の長手方向に向かって幅方向に交互の位置で一対のシート原反を連結して前記長手方向に延びる第一連結部を複数形成する長手方向連結工程と、長手方向連結工程後の一対のシート原反の前記長手方向に向かって間隔を空けた複数の位置で前記幅方向に延びる複数の切断予定線上で一対のシート原反を切断する切断工程と、該切断工程と同時に又は切断工程前に各切断予定線を含む位置で一対のシート原反を連結して前記幅方向に延びる第二連結部を複数形成する幅方向連結工程とを備えており、各第一連結部は、隣り合う二つの切断予定線と交差するように形成される。
【００１２】
斯かる構成によれば、長手方向連結工程と、幅方向連結工程と、切断工程とを行うことで、前記長手方向において隣り合う一対の切断予定線間に前記包装袋が形成される。具体的には、前記長手方向において隣り合う一対の第二連結部によって一対の側方連結部が形成される。また、第一連結部が前記長手方向において隣り合う一対の切断予定線と交差するように形成されるため、第一連結部は、切断工程によって一対の切断予定線間の部分と他の部分とに分割される。これにより、第一連結部における一対の切断予定線間の部分によって該一対の切断予定線間に形成される一の包装袋の一端側連結部を形成することができ、第一連結部における他の部分によって前記一の包装袋に隣接して形成される他の包装袋の突出連結部を形成することができる。つまり、一つの第一連結部によって一の包装袋の一端側連結部と、他の包装袋の突出連結部とを形成することができるため、包装袋の製造を効率的に行うことができる。
【発明の効果】
【００１３】
以上のように、本発明によれば、開口部を広げた際に破損してしまうのを防止することができる。
【図面の簡単な説明】
【００１４】
【図１】本発明の一実施形態に係る包装袋の構成材料を示した斜視図。
【図２】同実施形態に係る包装袋の平面図。
【図３】同実施形態に係る包装袋に物品を収容する際の斜視図。
【図４】本発明の一実施形態に係る包装袋の製造方法の重合工程を示した斜視図。
【図５】同実施形態に係る包装袋の製造方法の長手方向連結工程を示した斜視図。
【図６】同実施形態に係る包装袋の製造方法の長手方向連結工程で形成される第一連結部が切断予定線と交差した状態を示す斜視図。
【図７】同実施形態に係る包装袋の製造方法の切断工程及び幅方向連結工程を示した斜視図。
【図８】同実施形態に係る包装袋の製造方法の切断工程によって形成される枚葉体を示した平面図。
【発明を実施するための形態】
【００１５】
以下、本発明の実施形態について図１〜８を参照しながら説明する。なお、以下の図面において同一または相当する部分には同一の参照符号を付しその説明は繰り返さない。
【００１６】
本実施形態に係る包装袋１は、図１に示すように、シート材を用いて形成される。シート材としては、特に限定されるものではなく、例えば、樹脂フィルム、紙材、及び、布材等から選択される少なくとも一つを用いることができ、これらを積層したものであってもよい。
【００１７】
また、包装袋１は、重なり合うように配置された２枚の本体シート２，２と、該２枚の本体シート２，２の間に配置される帯状シート３とを用いて形成される。２枚の本体シート２，２は、第一方向の一端側へ向かって第二方向の両端間の間隔が狭くなるように台形状に形成される。
【００１８】
２枚の本体シート２，２のそれぞれは、第一方向に延びる一対の側端部２ｃ，２ｃを備える。該一対の側端部２ｃ，２ｃは、第一方向における各本体シート２の一端部に形成されるヘッダー形成領域２ｇ（該ヘッダー形成領域２ｇについては後述する）と、第一方向における各本体シート２の他端部に形成される非連結領域２ｋ（該非連結領域２ｋについては後述する）との間に形成される。
【００１９】
そして、２枚の本体シート２，２のうちの一方（以下、一方の本体シート２ａとも記す）が備える一対の側端部２ｃ，２ｃと、２枚の本体シート２，２のうちの他方（以下、他方の本体シート２ｂとも記す）が備える一対の側端部２ｃ，２ｃとが連結される。これにより、図２に示すように、第一方向に延びる一対の側方連結部１ａ，１ａが形成される。一方の本体シート２ａが備える一対の側端部２ｃ，２ｃと他方の本体シート２ｂが備える一対の側端部２ｃ，２ｃとを連結する方法としては、特に限定されるものではなく、例えば、帯状にヒートシールする方法であってもよく、後述するように溶断に伴う溶着であってもよい。
【００２０】
図１に戻り、一方の本体シート２ａ（又は、他方の本体シート２ｂ）は、他方の本体シート２ｂ（又は、一方の本体シート２ａ）に連結される連結予定領域２ｄを備える。該連結予定領域２ｄは、第一方向における一対の側端部２ｃ，２ｃの一端部間に亘って形成される一端側連結予定領域２ｅと、第一方向における一方の（又は、他方の）側端部２ｃの他端部から他方の（又は、一方の）側端部２ｃ側へ突出する（具体的には、面状に広がる）突出連結予定領域２ｆとから構成される。つまり、一端側連結予定領域２ｅは、第一方向における各本体シート２の一端側の位置に形成される。そして、各本体シート２の一端側連結予定領域２ｅ同士が連結されることで、図２に示すように、第一方向における一対の側方連結部１ａ，１ａの一端部間に亘って一端側連結部１ｂが形成される。一方の本体シート２ａと他方の本体シート２ｂとを連結する方法としては、特に限定されるものではなく、例えば、帯状にヒートシールする方法であってもよく、後述するように溶断に伴う溶着であってもよい。
【００２１】
図１に戻り、各本体シート２の突出連結予定領域２ｆ同士が連結されることで、図２に示すように、第一方向における一対の側方連結部１ａ，１ａの他端部に突出連結部１ｃが形成される。つまり、一方の側方連結部１ａ（又は、他方の側方連結部１ａ）は、第一方向に延びる側方連結部本体１ｄと、該側方連結部本体１ｄから他方の側方連結部１ａ側（又は、一方の側方連結部１ａ側）へ突出する（具体的には、面状に広がる）突出連結部１ｃとを備える。
【００２２】
また、各本体シート２，２は、第一方向の一端側へ一端側連結予定領域２ｅから延出するヘッダー形成領域２ｇを備える。該ヘッダー形成領域２ｇは、第一方向における一対の側端部２ｃ，２ｃの一端部から第一方向における各本体シート２の一端側へ延出する一対の第一ヘッダー形成端部２ｈ，２ｈと、該一対の第一ヘッダー形成端部２ｈ，２ｈの延出方向に位置する一端部間に亘って形成される第二ヘッダー形成端部２ｉと、一端側連結予定領域２ｅとで囲まれた領域（本実施形態では矩形状の領域）によって形成される。
【００２３】
そして、一方の本体シート２ａが備える一対の第一ヘッダー形成端部２ｈ，２ｈと、他方の本体シート２ｂが備える一対の第一ヘッダー形成端部２ｈ，２ｈとが連結されることで、図２に示すように、第一方向に延びる一対のヘッダー側方連結部１ｅ，１ｅが形成される。これにより、第一方向における包装袋１の一端側には、ヘッダー部１ｆが形成される。なお、各本体シート２，２が備える第二ヘッダー形成端部２ｉ同士は、連結されてもよく、連結されなくてもよい。一方の本体シート２ａが備える一対の第一ヘッダー形成端部２ｈ，２ｈと、他方の本体シート２ｂが備える一対の第一ヘッダー形成端部２ｈ，２ｈとを連結する方法としては、特に限定されるものではなく、例えば、帯状にヒートシールする方法であってもよく、後述するように溶断に伴う溶着であってもよい。
【００２４】
また、一方の本体シート２ａは、ヘッダー形成領域２ｇが線状に切り込まれて形成された切込部２ｊを備える。該切込部２ｊは、両端部が中央部よりも一端側連結予定領域２ｅ側に位置するように（本実施形態では、円弧状に）形成される。
【００２５】
また、一方の本体シート２ａ（又は、他方の本体シート２ｂ）は、他方の本体シート２ｂ（又は、一方の本体シート２ａ）に連結されない非連結領域２ｋを第一方向の他端部に備える。該非連結領域２ｋは、一対の側端部２ｃ，２ｃの前記他端部（即ち、突出連結予定領域２ｆ）よりも第一方向における各本体シート２の他端側の領域に形成される。これにより、図２に示すように、第一方向における包装袋１の他端部には、開口部１ｇが形成される。
【００２６】
図１に戻り、前記帯状シート３は、第一方向に沿って配置されると共に、一方の本体シート２ａに貼り付けられる。また、帯状シート３は、図２に示すように、包装袋１が形成された状態で、第一方向の一端部が切込部２ｊの両端部間（具体的には、凹状の切込部２ｊの内側）に配置される。これにより、一方の本体シート２ａにおける切込部２ｊの両端部間の領域を摘まんで、帯状シート３の一端部と共に引っ張ることで、一方の本体シート２ａが帯状シート３に沿って切断される。つまり、帯状シート３は、所謂、カットテープとして機能する。
【００２７】
上記のように構成される包装袋１は、図２に示すように、一対の側方連結部１ａ，１ａと一端側連結部１ｂとで囲まれた領域に物品を収容する収容部１ｈが形成される。そして、図３に示すように、開口部１ｇを開くことで、該開口部１ｇから収容部１ｈの内側へ物品Ｘを収容することができる。
【００２８】
上記のように構成される包装袋１は、下記の方法で製造することができる。具体的には、まず初めに、図４に示すように、長尺状の一対のシート原反１０を長手方向に繰り出しつつ重ね合わせる（重合工程）。この際、一方のシート原反１０ａには、切込部２ｊが長手方向に向かって幅方向に交互に形成されており、帯状シート３が幅方向に沿って貼り付けられる。
【００２９】
重合工程後、図５に示すように、一対のシート原反１０，１０の長手方向に向かって幅方向に交互の位置で一対のシート原反１０，１０を連結して前記長手方向に延びる第一連結部１０ｂを複数形成する（長手方向連結工程）。各第一連結部１０ｂは、図６に示すように、一対のシート原反１０，１０の前記長手方向に向かって間隔を空けた複数の位置で前記幅方向に延びる複数の切断予定線（仮想線）Ｌ１のうち、隣り合う二つの切断予定線Ｌ１，Ｌ１と交差するように形成される。
【００３０】
長手方向連結工程後、各切断予定線Ｌ１上で一対のシート原反１０，１０を切断する（切断工程）。これにより、隣り合う二つの切断予定線Ｌ１，Ｌ１間の領域が分離されて、図７に示す枚葉体１０ｃが形成される。この際、一対のシート原反１０，１０の切断が溶断によって行われることで、各切断予定線Ｌ１を含む位置で一対のシート原反１０，１０が連結（溶着）されて、前記幅方向に延びる一対の第二連結部１０ｄが枚葉体１０ｃに形成される（幅方向連結工程）。つまり、本実施形態では、切断工程と幅方向連結工程とが同時に行われる。
【００３１】
上記のように形成される枚葉体１０ｃは、図８に示すように、第一方向における一端側にヘッダー部を備える。そして、第一方向における他端部の両側が切断予定線Ｌ２上で切断されることで、図２に示すように、開口部１ｇと各本体シート２の非連結領域２ｋが形成される。
【００３２】
以上のように、本実施形態に係る包装袋１、及び、該包装袋１の製造方法によれば、開口部１ｇを広げた際に破損してしまうのを防止することができる。
【００３３】
即ち、少なくとも一方の側方連結部１ａは、前記一方向に延びる側方連結部本体１ｄと、該側方連結部本体１ｄから他方の側方連結部１ａ側へ突出する突出連結部１ｃとを備える。ここで、一方の側方連結部１ａの他端部間に形成される開口部１ｇを大きく広げた際には、一対の側方連結部１ａの他端部の位置に、一方の本体シート２と他方の本体シート２とを分離するような力が加わることになる。しかしながら、突出連結部１ｃを備えることで、突出連結部１ｃを備える位置では、一方の本体シート２と他方の本体シート２とが分離し難くなる。これにより、突出連結部１ｃから各側方連結部１ａの一端側へ向かって、一方の本体シート２と他方の本体シート２との分離が進行してしまうのを防止することができるため、側方連結部１ａにおいて包装袋１が破損されてしまうのを防止することができる。
【００３４】
また、前記突出連結部１ｃは、前記一方の側方連結部１ａが備える側方連結部本体１ｄから他方の側方連結部１ａ側へ広がる面状に形成される。これにより、突出連結部１ｃを備える側方連結部１ａの他端部において一方の本体シート２と他方の本体シート２との分離がより効果的に防止される。このため、側方連結部１ａにおいて包装袋１が破損されてしまうのをより効果的に防止することができる。
【００３５】
また、長手方向連結工程と、幅方向連結工程と、切断工程とを行うことで、前記長手方向において隣り合う一対の切断予定線Ｌ１間に前記包装袋１が形成される。具体的には、前記長手方向において隣り合う一対の第二連結部１０ｄによって一対の側方連結部１ａが形成される。また、第一連結部１０ｂが前記長手方向において隣り合う一対の切断予定線Ｌ１と交差するように形成されるため、第一連結部１０ｂは、切断工程によって一対の切断予定線Ｌ１間の部分と他の部分とに分割される。これにより、第一連結部１０ｂにおける一対の切断予定線Ｌ１間の部分によって該一対の切断予定線Ｌ１間に形成される一の包装袋１の一端側連結部１ｂを形成することができ、第一連結部１０ｂにおける他の部分によって前記一の包装袋１に隣接して形成される他の包装袋１の突出連結部１ｃを形成することができる。つまり、一つの第一連結部１０ｂによって一の包装袋１の一端側連結部１ｂと、他の包装袋１の突出連結部１ｃとを形成することができるため、包装袋１の製造を効率的に行うことができる。
【００３６】
なお、本発明に係る包装袋、及び、該包装袋の製造方法は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００３７】
例えば、上記実施形態では、切断工程と幅方向連結工程とが同時に行われるように構成されているが、これに限定されるものではなく、例えば、幅方向連結工程後に切断工程が行われるように構成されてもよい。
【００３８】
また、上記実施形態では、一対の側方連結部本体１ｄ，１ｄは、線状（具体的には、２枚の本体シート２，２の端縁同士が溶着された状態）となるように形成されているが、これに限定されるものではなく、例えば、帯状となるように形成されてもよい。
【００３９】
また、上記実施形態では、各側方連結部１ａの他端部に突出連結部１ｃが形成されているが、これに限定されるものではなく、各側方連結部１ａの他端部から一端部側へ離れた位置（該他端部の近傍）に突出連結部１ｃが形成されてもよい。
【符号の説明】
【００４０】
１…包装袋、１ａ…側方連結部、１ｂ…一端側連結部、１ｃ…突出連結部、１ｄ…側方連結部本体、１ｅ…ヘッダー側方連結部、１ｆ…ヘッダー部、１ｇ…開口部、１ｈ…収容部、２…本体シート、２ｅ…一端側連結予定領域、２ｆ…突出連結予定領域、２ｇ…ヘッダー形成領域、２ｈ…第一ヘッダー形成端部、２ｉ…第二ヘッダー形成端部、２ｊ…切込部、２ｋ…非連結領域、３…帯状シート、１０…シート原反、１０ｂ…第一連結部、１０ｃ…枚葉体、１０ｄ…第二連結部、Ｌ１…切断予定線、Ｌ２…切断予定線、Ｘ…物品
【図１】
2019116310.tif 000003
【図２】
2019116310.tif 000004
【図３】
2019116310.tif 000005
【図４】
2019116310.tif 000006
【図５】
2019116310.tif 000007
【図６】
2019116310.tif 000008
【図７】
2019116310.tif 000009
【図８】
2019116310.tif 000010